(57)【特許請求の範囲】
【請求項１】
書類入れ又は冊子の背表紙となるリーフレットであって、
印刷が施された用紙と、
前記用紙に設けられ、折られることで１枚の前記用紙が２枚以上に重なった重ね状態とするための折り畳用折り線と、
前記折り畳用折り線と平行に設けられた複数の折り線であって、重ね状態の前記用紙を当該折り線に沿って折ることで、背表紙部と、当該背表紙部の両側に位置してそれぞれが書類入れ又は冊子に付着される挟持部とに区画する背表紙形成用折り線とを備えたことを特徴とするリーフレット。
【請求項２】
前記折り畳用折り線は、複数設けられ、当該複数の折り畳用折り線は、互いに平行であることを特徴とする請求項１に記載のリーフレット。
【請求項３】
前記複数の折り畳用折り線は、山折り線と谷折り線とからなり、前記山折り線と前記谷折り線は、交互に並んでいることを特徴とする請求項１または請求項２に記載のリーフレット。
【請求項４】
前記挟持部と前記書類入れ又は前記冊子の付着部分に付着用両面テープまたはのりしろを設けてあることを特徴とする請求項１から請求項３のいずれか１項に記載のリーフレット。
【請求項５】
前記リーフレットには、前記重ね状態で重なり合う前記用紙の重なり部分に、貼合用両面テープまたはのりしろが設けられていることを特徴とする請求項１から請求項４のいずれか１項に記載のリーフレット。
【請求項６】
ＰＲを、前記書類入れ又は前記冊子に付着される状態における前記挟持部の外側表面に表示したことを特徴とする請求項１から請求項５のいずれか１項に記載のリーフレット。
【発明の詳細な説明】
【技術分野】
【０００１】
本発明は、書類入れ又は冊子の背表紙となるリーフレットに関する。
【背景技術】
【０００２】
リーフレットは、宣伝したい会社の情報や商品内容等の多くの情報を掲載し、街頭や店頭等で不特定多数の人々に配布されたり、ダイレクトメールとして送られたりして、これらの情報を認知させるために利用されている。
【０００３】
ところが、リーフレットは、配布された後に、広告内容をほとんど見ずに廃棄されることが多いため、従来から、リーフレットに、消費者の興味をひくような機能を設ける方法が考えられてきた。
【０００４】
例えば、リーフレットに、商品の割引などのクーポン券を設け、消費者の興味に訴求したもの（特許文献１参照）や、リーフレットに商品のサンプルを塗布し、リーフレット自体の利用価値を高めたもの（特許文献２参照）がある。また、絵合わせパズル付きのリーフレット（特許文献３参照）といったような、リーフレットに広告用途以外の機能を設けたものも知られている。
【先行技術文献】
【特許文献】
【０００５】
【特許文献１】特開２００５−１４５００５号公報
【特許文献２】特開２００３−４３９３０号公報
【特許文献３】特開平６−２５５２８６号公報
【発明の概要】
【発明が解決しようとする課題】
【０００６】
しかしながら、従来の技術におけるリーフレットは、配布された時点では、消費者の興味を引くが、比較的短期間で廃棄されることが多かった。また、廃棄されずに保管される場合であっても、収納ケース等に保管され、リーフレットが消費者の目に触れる機会が少なく、リーフレットに掲載されている情報が長期的に活用されることが少なかった。
【０００７】
以上の背景に鑑み、本発明は、リーフレットの利用価値を高めることを目的とする。
【課題を解決するための手段】
【０００８】
前記した目的を達成するため、本発明のリーフレットは、書類入れ又は冊子の背表紙となるリーフレットであって、印刷が施された用紙と、前記用紙に設けられ、折られることで１枚の前記用紙が２枚以上に重なった重ね状態とするための折り畳用折り線と、前記折り畳用折り線と平行に設けられた複数の折り線であって、重ね状態の前記用紙を当該折り線に沿って折ることで、背表紙部と、当該背表紙部の両側に位置してそれぞれが書類入れ又は冊子に付着される挟持部とに区画する背表紙形成用折り線とを備えたことを特徴とする。
【０００９】
このように構成されたリーフレットによれば、リーフレットを書類入れ又は冊子の背表紙として利用することにより、リーフレットが実用品として利用されるため、消費者の目に触れる機会が多くなり、リーフレットに掲載されている情報が活用されやすくなる。また、用紙を２枚以上に重ねることによって、リーフレットに厚みができ、書類入れ又は冊子に取り付けた際に、背表紙が屈曲しにくくすることができる。
【００１０】
前記したリーフレットにおいては、前記折り畳用折り線は、複数設けられ、当該複数の折り畳用折り線は、互いに平行に設けることが望ましい。
【００１１】
このように、互いに平行な折り畳用折り線を複数設けることにより、折り畳用折り線に沿って用紙を折り畳むことで、リーフレットにさらに十分な厚みができ、リーフレットが、書類入れ又は冊子の背表紙に適した強度を有することができる。
【００１２】
前記したリーフレットにおいては、前記複数の折り畳用折り線は、山折り線と谷折り線とからなり、前記山折り線と前記谷折り線は、交互に並んでいることが望ましい。
【００１３】
このように、山折り線と谷折り線を交互に設けることにより、当該リーフレットを蛇腹折りにすることができるため、これをさらに前記した背表紙形成用折り線で折り曲げたときに、重ね状態にある前記用紙の内側と外側の用紙同士のずれを防止することができる。
【００１４】
また、前記したリーフレットにおいては、前記挟持部と書類入れ又は冊子の付着部分に付着用両面テープまたはのりしろを設けることができる。
【００１５】
このように、付着用両面テープまたはのりしろをリーフレットに設けることにより、書類入れ又は冊子への取付方法がわかりやすく、当該リーフレットを、簡単に書類入れ又は冊子に付着させることができる。
【００１６】
前記したリーフレットにおいては、前記重ね状態で重なり合う前記用紙の重なり部分に、貼合用両面テープまたはのりしろが設けられていることが望ましい。
【００１７】
このように、貼合用両面テープまたはのりしろをリーフレットに設けることにより、書類入れ又は冊子に当該リーフレットを取り付けた際に、当該リーフレットが開くことを防止することができる。
【００１８】
さらに、前記したリーフレットにおいては、ＰＲを、前記書類入れ又は前記冊子に付着される状態における前記挟持部の外側表面に表示することが望ましい。
【００１９】
このように、リーフレットを書類入れ又は冊子の背表紙にした状態で、ＰＲを挟持部の外側表面に表示することにより、棚等に収納された書類入れ又は冊子を取り出した際に、このＰＲが消費者の目に留まりやすくなる。
【発明の効果】
【００２０】
本発明によれば、リーフレットを書類入れ又は冊子の背表紙として利用できるようにすることで、リーフレットの利用価値が高まり、掲載されている情報を、消費者により認知されやすくすることができる。
【図面の簡単な説明】
【００２１】
【図１】本発明の第１実施形態に係るリーフレットの開いた状態を示す図（ａ）と、（ａ）のリーフレットを裏返した状態を示す図（ｂ）である。
【図２】用紙の折り畳まれた重ね状態を示す図（ａ）と、（ａ）を裏返した状態を示す図（ｂ）である。
【図３】本発明の第１実施形態に係るリーフレットの折り畳み方を説明する斜視図である。
【図４】本発明の第１実施形態に係るリーフレットを封筒に取り付ける前の斜視図（ａ）と、取り付けた状態を表す斜視図（ｂ）である。
【図５】第２実施形態に係るリーフレットの開いた状態を示す図（ａ）と、（ａ）のリーフレットを裏返した状態を示す図（ｂ）である。
【図６】用紙の折り畳まれた重ね状態を示す図（ａ）と、（ａ）を裏返した状態を示す（ｂ）である。
【図７】第３実施形態に係るリーフレットの開いた状態を示す図（ａ）と、（ａ）のリーフレットを裏返した状態を示す図（ｂ）である。
【図８】第４実施形態に係るリーフレットの開いた状態を示す図（ａ）と、（ａ）のリーフレットを裏返した状態を示す図（ｂ）である。
【図９】用紙の折り畳まれた重ね状態を示す図（ａ）と、（ａ）を裏返した状態を示す図（ｂ）である。
【図１０】第４実施形態に係るリーフレットの折り畳み方を説明した斜視図である。
【発明を実施するための形態】
【００２２】
［第１実施形態］
次に、本発明の第１実施形態について、適宜図面を参照しながら詳細に説明する。
なお、参照する図面においては、山折り線を一点鎖線で、谷折り線を破線で示す。
【００２３】
＜リーフレットの構成＞
第１実施形態に係るリーフレット１は、図１（ａ）及び（ｂ）に示すように、矩形状の用紙２から形成され、地域の情報やお店の情報又は広告などが表示されている。
なお、図１（ａ）の面を用紙２のおもて面、図１（ｂ）の面を用紙２のうら面とする。
【００２４】
用紙２は、横方向に並ぶ三本の折り畳用折り線３と一本ののりしろ形成用折り線６が設けられており、上下方向の大きさが後述する書類入れの一例である封筒Ｅの縦方向の長さと略同じ大きさを有している。なお、本発明における折り線は、一度折ることでできた折り目、筋入れ加工してなる線または印刷した線などを含む。
【００２５】
のりしろ形成用折り線６は、図１（ａ）に示すように、用紙２の一端部（右端部）にのりしろ６１を区画するための折り線であり、用紙２の端縁と平行に設けられている。なお、用紙２のおもて面においては、のりしろ形成用折り線６は、山折り線である。
【００２６】
三本の折り畳用折り線３は、のりしろ形成用折り線６とそれぞれ平行に設けられており、用紙２ののりしろ６１を除いた面を四等分している。つまり、この三本の折り畳用折り線３によって、用紙２ののりしろ６１を除いた面が、互いに幅の等しい四つの面（のりしろ６１側から順に、第４面２４、第３面２３、第２面２２及び第１面２１）に区画されている。
【００２７】
また、この三本の折り畳用折り線３は、山折り線と谷折り線が交互に並ぶように設けられており、図１（ａ）においては、左から順に山折り線、谷折り線、山折り線となっている。これにより、折り畳用折り線３に沿って、用紙２を蛇腹折りにすることができる（図３参照）。
【００２８】
第１面２１〜第４面２４のぞれぞれには、各面２１，２２，２３，２４を、背表紙部Ｓと、背表紙部Ｓの両側に配置される挟持部Ｐとに区画する一対の背表紙形成用折り線４が設けられている。
【００２９】
一対の背表紙形成用折り線４は、いずれも折り畳用折り線３と平行に設けられており、この一対の背表紙形成用折り線４に挟まれている背表紙部Ｓが、各面２１，２２，２３，２４の中央に位置するようにそれぞれ配置されている。そして、各面のうち第４面２４のおもて面は、リーフレット１を背表紙にした際に、外側の面となるので、背表紙部Ｓのうち、第４面２４のおもて面に設けられている背表紙部Ｓは、無地またはタイトルを書き込むのに適した記入欄Ｌが設けられている。
【００３０】
なお、第４面２４のおもて面に設けられている挟持部Ｐには、例えば、会社名や連絡先、周知させたいスローガン等のＰＲ（Ｐｕｂｌｉｃ  Ｒｅｌａｔｉｏｎｓ）を掲載することが望ましい。
【００３１】
また、用紙２には、リーフレット１を後述する封筒Ｅに貼り付けるための付着用両面テープ５１と、折り畳んだ後にリーフレット１が広がらないようにするための貼合用両面テープ５２が設けられている。
【００３２】
付着用両面テープ５１は、用紙２のおもて面の第１面２１の右端部とのりしろ６１の左端部に設けられている。この付着用両面テープ５１は、図４に示すように、封筒Ｅの下端からフラップＥ１の下端までの長さよりも短く、リーフレット１を封筒Ｅに付着させたときに、フラップＥ１に付着用両面テープ５１が当たらないように設けることが望ましい。
【００３３】
図１（ａ）に戻り、貼合用両面テープ５２は、用紙２のおもて面の第３面２３の右端部と、用紙２のうら面ののりしろ６１の左端部（図１（ｂ）参照）に設けられている。この貼合用両面テープ５２は、用紙２の上端から下端に渡って設けられているのが望ましい。
【００３４】
＜リーフレットの使用方法＞
次に、このように構成されたリーフレット１の使用方法について説明する。
リーフレット１を受け取った使用者は、リーフレット１（用紙２）を、各折り畳用折り線３に沿って折り曲げる。そして、図３に示すように、第４面２４、第３面２３、第２面２２、第１面２１の順に重なるように、用紙２を蛇腹状に折り畳む。
【００３５】
このように用紙２が二枚以上重なった重ね状態を保つために、第３面２３に設けられている貼合用両面テープ５２の剥離紙を剥がし、第３面２３と第２面２２を貼り合わせる。そして、のりしろ形成用折り線６に沿って用紙２を折り曲げ、のりしろ６１を第１面２１、第２面２２及び第３面２３の側縁を巻き込むようにして、第１面２１に重ねる。次に、のりしろ６１に設けられている貼合用両面テープ５２の剥離紙を剥がし、のりしろ６１と第１面２１を貼り合わせる。このように用紙２を貼り合わせることによって、図２（ａ）及び（ｂ）に示すような、折り畳まれた重ね状態のリーフレット１となる。
【００３６】
次に、第１面２１が内側に、第４面２４が外側になるようにリーフレット１を背表紙形成用折り線４で折り曲げ、図４（ａ）のような、背表紙部Ｓと一対の挟持部Ｐとを有する、コ字型にする。
【００３７】
二つの挟持部Ｐの内側（第１面２１とのりしろ６１）に設けられている二つの付着用両面テープ５１の剥離紙を剥がし、図４（ｂ）に示すように、対向する二つの挟持部Ｐで封筒Ｅの側端部を挟むようにして、リーフレット１を封筒Ｅに貼り付ける。これにより、リーフレット１を封筒Ｅの背表紙として利用することができる。
【００３８】
以上のような本実施形態のリーフレット１によれば、次のような効果を得ることができる。
リーフレット１を封筒Ｅの背表紙として利用することにより、リーフレット１の第４面２４に印刷された広告が、封筒Ｅの背表紙の利用者の目に触れる機会が多くなり、当該広告が活用されやすくなる。
【００３９】
また、複数の面（第１面２１，第２面２２，第３面２３及び第４面２４）を重ねることにより、背表紙に厚みができ、十分な強度を有する封筒Ｅの背表紙とすることができる。
【００４０】
折り畳用折り線３は、山折り線と谷折り線を交互に設けることにより、用紙２を蛇腹状に折り畳むことができる。これにより、山折り線のみで構成した場合または谷折り線のみで構成した場合、つまり、用紙２を巻き折りにした場合と比較して、背表紙形成用折り線４に沿って用紙２を折り曲げた際に生じる歪みを低減することができる。
【００４１】
また、挟持部Ｐと封筒Ｅの付着部分に、付着用両面テープ５１を設けたことにより、リーフレット１の封筒Ｅへの取付方法がわかりやすく、リーフレット１を簡単に封筒Ｅに付着させることができる。
【００４２】
そして、貼合用両面テープ５２を設けることにより、リーフレット１を封筒Ｅの背表紙とした際に、リーフレット１が開いてしまうのを防止することができる。
【００４３】
また、第４面２４（挟持部Ｐの外側表面）に、広告を表示することにより、広告がより利用者の目に留まりやすくなる。
【００４４】
［第２実施形態］
次に、本発明の第２実施形態について、適宜図面を参照しながら詳細に説明する。第２実施形態のリーフレット１Ａは、のりしろが設けられていないタイプのリーフレットである。なお、本実施形態では、前記した第１実施形態と同様の構成要素については、同一符号を付して、その説明を省略することとする。
【００４５】
リーフレット１Ａは、図５（ａ）及び（ｂ）に示すように、矩形状の用紙２Ａから形成されている。そして、用紙２Ａは、図５（ａ）に示すように、用紙２Ａを二等分する一本の折り畳用折り線３を有し、この折り畳用折り線３によって、第１面２１と第２面２２に区画されている。
【００４６】
第１面２１と第２面２２には、各面の中央に背表紙部Ｓを区画するように、一対の背表紙形成用折り線４が設けられている。
【００４７】
また、用紙２Ａのおもて面には、第２面２２の左右両端部に、付着用両面テープ５１が設けられている。そして、用紙２Ａのうら面には、第１面２１の右端部に貼合用両面テープ５２が設けられている（図５（ｂ）参照）。
【００４８】
このように構成された用紙２Ａを封筒Ｅの背表紙として使用する際には、折り畳用折り線３に沿って折ることで、リーフレット１が、図６（ａ）及び（ｂ）に示すような重ね状態になる。そして、第１面２１に設けられている貼合用両面テープ５２（図５（ｂ）参照）によって、第１面２１のうら面と第２面２２のうら面同士を貼り合わせることで、この重ね状態を保つことができる。
【００４９】
このように折り畳まれたリーフレット１Ａは、背表紙形成用折り線４に沿って折り曲げた後、付着用両面テープ５１によって封筒Ｅの側端部に貼り付けることで、封筒Ｅの背表紙として利用することができる。
【００５０】
以上のような本実施形態のリーフレット１Ａによれば、貼合用両面テープ５２のみで、リーフレット１Ａの各面を貼り合わせることができるため、のりしろやのりしろ形成用折り線をさらに設けなくともよい。
【００５１】
この第２実施形態では、用紙２に一本の折り畳用折り線３が設けられていたが、本発明はこれに限定されるものではない。例えば、図７（ａ）及び（ｂ）に示すように、用紙２Ｂを三等分する二本の折り畳用折り線３を設けたリーフレット１Ｂであってもよい。
【００５２】
この場合、図７（ａ）に示すように、二本の折り畳用折り線３は、用紙２を、同じ幅を有する三つの面（左側から順に、第１面２１、第２面２２、第３面２３）に区画している。
【００５３】
そして、付着用両面テープ５１は、第１面２１のおもて面の左右両端部に設けられ、貼合用両面テープ５２は、第３面２３のおもて面の右端部と、第２面２２のうら面の左端部（図７（ｂ）参照）に設けられる。
【００５４】
以上のように構成されたリーフレット１Ｂによれば、折り畳まれたリーフレット１Ｂがより厚くなるため、背表紙に適した強度を得ることができる。
【００５５】
なお、当然のことながら、リーフレットは、四つ折り以上で重ね状態となる構造であってもよい。リーフレットを四つ折り以上にすることで、リーフレットがさらに厚くなり、より屈曲しにくい背表紙にすることができる。
【００５６】
［第３実施形態］
次に、本発明の第３実施形態について、適宜図面を参照しながら詳細に説明する。第３実施形態のリーフレット１Ｃは、巻き折りにして重ね状態を形成するタイプのリーフレットである。なお、本実施形態では、前記した第１実施形態と同様の構成要素については、同一符号を付して、その説明を省略することとする。
【００５７】
リーフレット１Ｃは、図８（ａ）及び（ｂ）に示すように、二本の折り畳用折り線３を有する矩形状の用紙２Ｃから形成されている。
【００５８】
図８（ａ）に示すように、二本の折り畳用折り線３は、用紙２Ｃのおもて面では、それぞれ山折り線となっており、用紙２Ｃを第１面２１、第２面２２、第３面２３の三つに区画している。
【００５９】
第１面２１、第２面２２及び第３面２３は、それぞれ幅の異なる面であり、第１面２１が最も幅が大きく、第３面２３が最も幅が小さい。
【００６０】
また、第１面２１、第２面２２及び第３面２３には、それぞれ一対の背表紙形成用折り線４が設けられている。
【００６１】
この一対の背表紙形成用折り線４は、第１面２１では、中央に背表紙部Ｓが設けられるように（第１面２１の挟持部Ｐ１，Ｐ２の幅が等しくなるように）配置されており、第２面２２と第３面２３では、用紙２Ｃを折り畳用折り線３に沿って折り畳んだ際に、各面２１，２２，２３の背表紙部Ｓが重なるように配置されている。
【００６２】
具体的には、折り畳用折り線３を介して隣り合う挟持部の幅が等しくなるように一対の背表紙形成用折り線４が設けられている。つまり、図８（ｂ）に示すように、第１面２１と第２面２２を区切る折り畳用折り線３１を介して隣り合う第１面２１の挟持部Ｐ２と第２面２２の挟持部Ｐ３の幅が等しくなっている。また、第２面２２と第３面２３を区切る折り畳用折り線３２を介して隣り合う第２面２２の挟持部Ｐ４と第３面２３の挟持部Ｐ５の幅も等しくなっている。そして、用紙２Ｃの末端に設けられる第３面２３の挟持部Ｐ６は、第２面２２の挟持部Ｐ３よりも幅が小さくなっている。
【００６３】
また、用紙２Ｃには、二本の付着用両面テープ５１が、第２面２２おもて面の左端部（図８（ａ）参照）と、第１面２１うら面の右端部に設けられている。
【００６４】
このように構成された用紙２Ｃを、折り畳用折り線３に沿って折り曲げ、図１０に示すように巻くように折り畳む。つまり、第３面２３に第２面２２が重なり、さらに第３面２３に第１面２１が重なるように、巻き折りにする。このように重ねることにより、リーフレット１Ｃは、図９（ａ）及び（ｂ）に示すような重ね状態となる。
【００６５】
このリーフレット１Ｃを、背表紙形成用折り線４に沿って折り曲げた後、付着用両面テープ５１で封筒Ｅの側端部に貼り付けることで、封筒Ｅの背表紙として利用することができる。
【００６６】
以上のような本実施形態のリーフレット１Ｃによれば、リーフレット１Ｃを、蛇腹折りではなく巻き折りにした場合でも、封筒Ｅの背表紙とすることができる。このように巻き折りにした場合、貼合用両面テープによって、各面を貼り合わせる必要がないため、貼合用両面テープが剥がれることによる損傷を防止することができる。また、重ね状態におけるリーフレット１Ｃの左右両端部が、巻き込まれた状態となっているため、見た目が美しい。
【００６７】
以上、本発明の実施形態について説明したが、本発明は前記実施形態に限定されるものではない。具体的な構成については、本発明の趣旨を逸脱しない範囲で適宜変更が可能である。
【００６８】
前記実施形態では、付着用両面テープ５１や貼合用両面テープ５２を設けていたが、本発明はこれに限定されるものではない。例えば、のりしろを設け、糊などの接着剤をのりしろに塗布し、貼り付けてもよい。
【００６９】
また、前記実施形態では、リーフレット１の上下方向の長さは、封筒Ｅの上下方向の長さと略同じであったが、本発明はこれに限定されるものではない。例えば、封筒Ｅの上下の長さよりも小さくてもよいし、大きくてもよい。大きい場合は、封筒Ｅの大きさに合わせて切って使用することもできる。
【００７０】
また、前記実施形態では、リーフレット１を封筒Ｅの背表紙にしていたが、本発明はこれに限定されるものではない。例えば、クリアファイル等の書類入れの背表紙や、冊子の背表紙としてもよい。
【符号の説明】
【００７１】
１      リーフレット
２      用紙
３      折り畳用折り線
４      背表紙形成用線
５１    付着用両面テープ
５２    貼合用両面テープ
Ｅ      封筒
Ｐ      挟持部
Ｓ      背表紙部
【図１】
0005486450.tif 000002
【図２】
0005486450.tif 000003
【図３】
0005486450.tif 000004
【図４】
0005486450.tif 000005
【図５】
0005486450.tif 000006
【図６】
0005486450.tif 000007
【図７】
0005486450.tif 000008
【図８】
0005486450.tif 000009
【図９】
0005486450.tif 000010
【図１０】
0005486450.tif 000011